(57)【要約】【課題】本発明は、記録したコンテンツの中から所望のコンテンツの特定を容易に行うことができる端末装置およびコンテンツ記録方法を提供することを課題とする。【解決手段】送受信部５１によってコンテンツリストのネットワーク上でのアドレスおよびコンテンツリストに対応する文字列がメタ言語によって記述されたキャストサイトリストを受信すると、データ管理部５６は、受信したキャストサイトリストを解析することで、コンテンツリストに対応する文字列を抽出して表示部５３に表示し、表示したコンテンツリストに対応する文字列の選択を操作部５４によって受け付け、選択されたコンテンツリストに対応する文字列を経緯データとして記憶し、受信したコンテンツと共に記憶している経緯データをコンテンツ記録部５２３に記録する。【選択図】        図４
2008027104.tif 000002
【特許請求の範囲】
【請求項１】
ネットワーク経由で受信したコンテンツを記録するコンテンツ記録手段を有する端末装置であって、
コンテンツリストのネットワーク上でのアドレスおよび前記コンテンツリストに対応する文字列がメタ言語によって記述された構造化文書であるキャストサイトリストを受信すると共に、タグを用いて要素および属性を意味づけするメタ言語によって前記コンテンツのネットワーク上でのアドレスおよび前記コンテンツに対応する文字列が記述された構造化文書である前記コンテンツリストを受信する受信手段と、
前記キャストサイトリストを解析することで、前記コンテンツリストに対応する文字列を抽出すると共に、前記コンテンツリストを解析することで、前記コンテンツに対応する文字列を抽出する文字列抽出手段と、
該文字列抽出手段によって抽出された文字列を表示する表示手段と、
該表示手段に表示された文字列を選択する操作手段と、
該操作手段によって前記コンテンツリストに対応する文字列が選択されると、選択され文字例に対応する前記コンテンツリストの配信を要求するコンテンツリストリクエストを送信すると共に、前記操作手段によって前記コンテンツに対応する文字列が選択されると、選択された文字例に対応する前記コンテンツの配信を要求するコンテンツリクエストを送信する送信手段と、
送信した前記コンテンツリクエストに対応して受信した前記コンテンツと共に、前記操作手段によって選択された前記コンテンツリストに対応する文字列を経緯データとして前記コンテンツ記録手段に記録するデータ管理手段とを具備することを特徴とする端末装置。
【請求項２】
前記キャストサイトリストは、複数のコンテンツリストをグループ分けした多層構造になっており、
前記文字列抽出手段は、前記キャストサイトリストを解析することで、前記コンテンツに対応する文字列を抽出して表示すると共に、前記グループに対応する文字列を抽出し、
前記データ管理手段は、受信した前記コンテンツと共に、前記操作手段によって選択された前記グループに対応する文字列を前記経緯データとして前記コンテンツ記録手段に記録することを特徴とする請求項１記載の端末装置。
【請求項３】
前記キャストサイトリストは、次層となる異なるキャストサイトリストが公開されているネットワーク上のアドレスを記述されており、
前記文字列抽出手段は、前記キャストサイトリストを解析することで、次層となる異なる前記キャストサイトリストに対応する文字列を抽出し、
前記データ管理手段は、受信した前記コンテンツと共に、前記操作手段によって選択された前記キャストサイトリストに対応する文字列を前記経緯データとして前記コンテンツ記録手段に記録することを特徴とする請求項１又は２記載の端末装置。
【請求項４】
ネットワーク経由で受信したコンテンツを記録するコンテンツ記録手段を有する端末装置におけるコンテンツ記録方法であって、
コンテンツリストのネットワーク上でのアドレスおよび前記コンテンツリストに対応する文字列がメタ言語によって記述された構造化文書であるキャストサイトリストを受信し、
受信した前記キャストサイトリストを解析することで、前記コンテンツリストに対応する文字列を抽出して表示し、
表示した前記コンテンツリストに対応する文字列の選択を受け付け、
選択され文字例に対応する前記コンテンツリストの配信を要求するコンテンツリストリクエストを送信し、
送信した前記コンテンツリストリクエストに対応して、タグを用いて要素および属性を意味づけするメタ言語によって前記コンテンツのネットワーク上でのアドレスおよび前記コンテンツに対応する文字列が記述された構造化文書である前記コンテンツリストを受信し、
受信した前記コンテンツリストを解析することで、前記コンテンツに対応する文字列を抽出して表示し、
表示した前記コンテンツに対応する文字列の選択を受け付け、
選択された前記コンテンツに対応する文字例に対応する前記コンテンツの配信を要求するコンテンツリクエストを送信し、
送信した前記コンテンツリクエストに対応して受信した前記コンテンツと共に、選択された前記コンテンツリストに対応する文字列を経緯データとして前記コンテンツ記録手段に記録することを特徴とするコンテンツ記録方法。
【請求項５】
前記キャストサイトリストは、複数のコンテンツリストをグループ分けした多層構造になっており、
前記キャストサイトリストを解析することで、前記コンテンツに対応する文字列を抽出して表示すると共に、前記グループに対応する文字列を抽出して表示し、
表示した前記グループに対応する文字列の選択を受け付け、
受信した前記コンテンツと共に、選択された前記グループに対応する文字列を前記経緯データとして前記コンテンツ記録手段に記録することを特徴とする請求項４記載のコンテンツ記録方法。
【請求項６】
前記キャストサイトリストは、次層となる異なるキャストサイトリストが公開されているネットワーク上のアドレスを記述されており、
前記キャストサイトリストを解析することで、次層となる異なる前記キャストサイトリストに対応する文字列を抽出して表示し、
表示した前記キャストサイトリストに対応する文字列の選択を受け付け、
受信した前記コンテンツと共に、選択された前記キャストサイトリストに対応する文字列を前記経緯データとして前記コンテンツ記録手段に記録することを特徴とする請求項４又は５記載のコンテンツ記録方法。
【発明の詳細な説明】
【技術分野】
【０００１】
本発明は、ネットワーク上に公開されている音声データ、画像データ、映像データ等のコンテンツのアドレスが記述されているコンテンツリストを受信し、当該コンテンツリストに基づいてコンテンツを受信して記録する端末装置およびコンテンツ記録方法に関し、特にネットワーク上に公開されているコンテンツリストのアドレスが記述されているキャストサイトリストを受信し、当該キャストサイトリストに基づいてコンテンツリストを受信する端末装置およびコンテンツ記録方法に関する。
【背景技術】
【０００２】
近年、インターネット等のネットワーク環境が整備され、音声データ、画像データ、映像データ等のコンテンツをネットワーク経由でユーザ所有の端末装置に提供されることが多くなってきており、ネットワーク上に多数のコンテンツが公開されている。
【０００３】
従って、ネットワーク上に公開されている多数のコンテンツの中から如何にしてユーザの嗜好や端末装置の閲覧環境に適合したコンテンツを提供するかが課題になっており、例えば、事前にユーザが嗜好情報や閲覧環境情報を配信元に登録し、登録された嗜好情報や閲覧環境情報に基づいてネットワーク経由で提供するコンテンツの選別や提供形態を変更する技術が提案されている（例えば、特許文献１参照）。
【０００４】
しかしながら、従来技術では、配信を受けるコンテンツは、ユーザが嗜好情報等により選別されているものの、配信されたコンテンツは、端末装置の所定領域に一括して記録されるため、ユーザがファイル等を作成し、記録されたコンテンツの分類分けを行わないと、記録したコンテンツの中から所望のコンテンツを特定することが困難であるという問題点があった。
【特許文献１】特開２００２−１８３１９９号公報
【発明の開示】
【発明が解決しようとする課題】
【０００５】
本発明は斯かる問題点に鑑みてなされたものであり、その目的とするところは、ユーザが記録されたコンテンツの分類分けを行うことなく、記録したコンテンツの中から所望のコンテンツの特定を容易に行うことができ、ユーザの利便性を向上させることができる端末装置およびコンテンツ記録方法を提供する点にある。
【課題を解決するための手段】
【０００６】
本発明は上記課題を解決すべく、以下に掲げる構成とした。
本発明の配信システムは、ネットワーク経由で受信したコンテンツを記録するコンテンツ記録手段を有する端末装置であって、コンテンツリストのネットワーク上でのアドレスおよび前記コンテンツリストに対応する文字列がメタ言語によって記述された構造化文書であるキャストサイトリストを受信すると共に、タグを用いて要素および属性を意味づけするメタ言語によって前記コンテンツのネットワーク上でのアドレスおよび前記コンテンツに対応する文字列が記述された構造化文書である前記コンテンツリストを受信する受信手段と、前記キャストサイトリストを解析することで、前記コンテンツリストに対応する文字列を抽出すると共に、前記コンテンツリストを解析することで、前記コンテンツに対応する文字列を抽出する文字列抽出手段と、該文字列抽出手段によって抽出された文字列を表示する表示手段と、該表示手段に表示された文字列を選択する操作手段と、該操作手段によって前記コンテンツリストに対応する文字列が選択されると、選択され文字例に対応する前記コンテンツリストの配信を要求するコンテンツリストリクエストを送信すると共に、前記操作手段によって前記コンテンツに対応する文字列が選択されると、選択された文字例に対応する前記コンテンツの配信を要求するコンテンツリクエストを送信する送信手段と、送信した前記コンテンツリクエストに対応して受信した前記コンテンツと共に、前記操作手段によって選択された前記コンテンツリストに対応する文字列を経緯データとして前記コンテンツ記録手段に記録するデータ管理手段とを具備することを特徴とする。
【０００７】
さらに、本発明の配信システムにおいては、前記キャストサイトリストは、複数のコンテンツリストをグループ分けした多層構造になっており、前記文字列抽出手段は、前記キャストサイトリストを解析することで、前記コンテンツに対応する文字列を抽出して表示すると共に、前記グループに対応する文字列を抽出し、前記データ管理手段は、受信した前記コンテンツと共に、前記操作手段によって選択された前記グループに対応する文字列を前記経緯データとして前記コンテンツ記録手段に記録することを特徴とする。
【０００８】
さらに、本発明の配信システムにおいては、前記キャストサイトリストは、次層となる異なるキャストサイトリストが公開されているネットワーク上のアドレスを記述されており、前記文字列抽出手段は、前記キャストサイトリストを解析することで、次層となる異なる前記キャストサイトリストに対応する文字列を抽出し、前記データ管理手段は、受信した前記コンテンツと共に、前記操作手段によって選択された前記キャストサイトリストに対応する文字列を前記経緯データとして前記コンテンツ記録手段に記録することを特徴とする。
【０００９】
また、本発明のコンテンツ記録方法は、ネットワーク経由で受信したコンテンツを記録するコンテンツ記録手段を有する端末装置におけるコンテンツ記録方法であって、コンテンツリストのネットワーク上でのアドレスおよび前記コンテンツリストに対応する文字列がメタ言語によって記述された構造化文書であるキャストサイトリストを受信し、受信した前記キャストサイトリストを解析することで、前記コンテンツリストに対応する文字列を抽出して表示し、表示した前記コンテンツリストに対応する文字列の選択を受け付け、選択され文字例に対応する前記コンテンツリストの配信を要求するコンテンツリストリクエストを送信し、送信した前記コンテンツリストリクエストに対応して、タグを用いて要素および属性を意味づけするメタ言語によって前記コンテンツのネットワーク上でのアドレスおよび前記コンテンツに対応する文字列が記述された構造化文書である前記コンテンツリストを受信し、受信した前記コンテンツリストを解析することで、前記コンテンツに対応する文字列を抽出して表示し、表示した前記コンテンツに対応する文字列の選択を受け付け、選択された前記コンテンツに対応する文字例に対応する前記コンテンツの配信を要求するコンテンツリクエストを送信し、送信した前記コンテンツリクエストに対応して受信した前記コンテンツと共に、選択された前記コンテンツリストに対応する文字列を経緯データとして前記コンテンツ記録手段に記録することを特徴とする。
【００１０】
さらに、本発明のコンテンツ記録方法においては、前記キャストサイトリストは、複数のコンテンツリストをグループ分けした多層構造になっており、前記キャストサイトリストを解析することで、前記コンテンツに対応する文字列を抽出して表示すると共に、前記グループに対応する文字列を抽出して表示し、表示した前記グループに対応する文字列の選択を受け付け、受信した前記コンテンツと共に、選択された前記グループに対応する文字列を前記経緯データとして前記コンテンツ記録手段に記録することを特徴とする。
【００１１】
さらに、本発明のコンテンツ記録方法においては、前記キャストサイトリストは、次層となる異なるキャストサイトリストが公開されているネットワーク上のアドレスを記述されており、前記キャストサイトリストを解析することで、次層となる異なる前記キャストサイトリストに対応する文字列を抽出して表示し、表示した前記キャストサイトリストに対応する文字列の選択を受け付け、受信した前記コンテンツと共に、選択された前記キャストサイトリストに対応する文字列を前記経緯データとして前記コンテンツ記録手段に記録することを特徴とする。
【発明の効果】
【００１２】
本発明の端末装置およびコンテンツ記録方法は、コンテンツリストのネットワーク上でのアドレスおよびコンテンツリストに対応する文字列がメタ言語によって記述された構造化文書であるキャストサイトリストを受信し、受信したキャストサイトリストを解析することで、コンテンツリストに対応する文字列を抽出して表示し、表示したコンテンツリストに対応する文字列の選択を受け付け、選択されたコンテンツリストに対応する文字列を経緯データとして記憶すると共に、選択され文字例に対応するコンテンツリストの配信を要求するコンテンツリストリクエストを送信し、コンテンツリストリクエストに対応して、タグを用いて要素および属性を意味づけするメタ言語によってコンテンツのネットワーク上でのアドレスおよびコンテンツに対応する文字列が記述された構造化文書であるコンテンツリストを受信し、受信したコンテンツリストを解析することで、コンテンツに対応する文字列を抽出して表示し、表示したコンテンツに対応する文字列の選択を受け付け、選択されたコンテンツに対応する文字例に対応するコンテンツの配信を要求するコンテンツリクエストを送信し、送信したコンテンツリクエストに対応して受信したコンテンツと共に記憶している経緯データを記録するように構成することにより、受信したコンテンツが経緯データに基づいてデータベース化、すなわち経緯データに基づいて分類分けされて記録され、経緯データを用いることで記録したコンテンツの中から所望のコンテンツを簡単に特定することができるため、ユーザが記録されたコンテンツの分類分けを行うことなく、記録したコンテンツの中から所望のコンテンツの特定を容易に行うことができ、ユーザの利便性を向上させることができるという効果を奏する。
【００１３】
さらに、本発明の端末装置およびコンテンツ記録方法は、キャストサイトリストが複数のコンテンツリストをグループ分けした多層構造になっており、キャストサイトリストを解析することで、コンテンツに対応する文字列を抽出して表示すると共に、グループに対応する文字列を抽出して表示し、表示したグループに対応する文字列の選択を受け付け、選択されたグループに対応する文字列を経緯データとして記憶するように構成することにより、記録されたコンテンツを経緯データに基づいて細分類することができるため、経緯データを用いることで記録したコンテンツの中から所望のコンテンツをさらに簡単に特定することができるという効果を奏する。
【００１４】
さらに、本発明の配信システムおよび配信方法は、キャストサイトリストに次層となる異なるキャストサイトリストが公開されているネットワーク上のアドレスが記述されており、キャストサイトリストを解析することで、次層となる異なるキャストサイトリストに対応する文字列を抽出して表示し、表示したキャストサイトリストに対応する文字列の選択を受け付け、選択されたキャストサイトリストに対応する文字列を経緯データとして記憶するように構成することにより、記録されたコンテンツを経緯データに基づいて細分類することができるため、経緯データを用いることで記録したコンテンツの中から所望のコンテンツをさらに簡単に特定することができるという効果を奏する。
【発明を実施するための最良の形態】
【００１５】
以下、本発明の実施の形態を図面に基づいて詳細に説明する。
【００１６】
図１は、本発明に係る端末装置の実施の形態にコンテンツを配信する配信システムの構成を示すシステム構成図であり、図２は、図１に示すキャストサイトサーバに記録されているキャストサイトリスト例を示す図であり、図３は、図１に示すコンテンツリストサーバに記録されているコンテンツリスト例を示す図であり、図４は、本発明に係る端末装置の実施の形態の構成を示すブロック図であり、図５は、図４に示す情報記録部のコンテンツ記録部に記録された経緯データ例を示す図である。
【００１７】
本実施の形態の端末装置５０にコンテンツを配信する配信システムは、図１を参照すると、インターネット等のネットワーク１０を経由してキャストサイトリストを配信するキャストサイトサーバ２０と、ネットワーク１０を経由してコンテンツリストを配信するコンテンツリストサーバ３０と、ネットワーク１０を経由して音声データ、画像データ、映像データ等のコンテンツを配信するコンテンツサーバ４０とからなる。なお、本実施の形態では、機能的にキャストサイトサーバ２０と、コンテンツリストサーバ３０と、コンテンツサーバ４０とに分けて説明するが、キャストサイトサーバ２０、コンテンツリストサーバ３０およびコンテンツサーバ４０は、プログラム制御によって動作する１以上の情報処理装置からなるサーバシステムとして実現することができ、各サーバを異なる事業者によって管理するようにしても良く、各サーバの２以上を同一の事業者によって管理するようにしても良い。
【００１８】
キャストサイトサーバ２０は、端末装置５０からの各種リクエストに応答するＷｅｂサーバとしての機能を有し、キャストサイトリスト記録部２１と、案内情報記録部２２と、リクエスト応答部２３と、送受信部２４とを備えている。
【００１９】
キャストサイトリスト記録部２１は、キャストサイトリストが記録されているＨＤＤ等の記録手段である。キャストサイトリストは、メタ言語によって記述された構造化文書であり、タグを用いてコンテンツリストの名称および当該コンテンツリストが公開されているネットワーク１０上のアドレス（以下、リストＵＲＬと称す）が記述された一覧である。図２を参照すると、本実施の形態におけるキャストサイトリストは、ＸＭＬ（Extensible Markup Language）の仕様の１つであるＯＰＭＬ（Outline Processor Markup Language）によって記述されている構造化文書である。
【００２０】
図２において、<?xml version="1.0" encoding="UTF-8"?>は、キャストサイトリストがＸＭＬ文書であることを示すＸＭＬ宣言であり、終了タグ</head>との間に、キャストサイトリスト名および作成日時が要素として記述されていることを示す開始タグ<head>と、終了タグ</title>との間に、キャストサイトリスト名が要素として記述されていることを示す開始タグ<title>と、終了タグ</dateCreated>との間に、作成日時が要素として記述されていることを示す開始タグ<dateCreated>と、終了力タグ</body>との間に、コンテンツリストのグループ名、複数のコンテンツリスト名およびリストＵＲＬが要素として記述されていることを示す開始タグ<body>と、終了力タグ</outline>との間に、複数のコンテンツリスト名およびリストＵＲＬが要素として記述されていることを示すと共に、属性としてコンテンツリストのグループ名が記述されていることを示す開始タグ<outline>と、コンテンツリスト名（text）およびリストＵＲＬ（xmlUrl）が属性として記述されていることを示す空要素タグ<outline/>とで構成されている。
【００２１】
従って、図２に示すキャストサイトリスト例には、キャストサイトリスト名「???キャストサイト」と、その作成日時が記述されていると共に、グループ名「ニュース」にコンテンツリスト名「???ニュース」および「△△△ニュース」と、そのリストＵＲＬが記述され、グループ名「スポーツ」にコンテンツリスト名「サッカー」および「野球」と、そのリストＵＲＬが記述されている。なお、図２に示すキャストサイトリストは、複数のコンテンツリストがグループ分けされた２層構造になっているが、複数のコンテンツリストを単に羅列しただけの１層構造であっても、複数のコンテンツリストを階層的にグループ分けした３層以上の構造を有するようにしても良い。
【００２２】
案内情報記録部２２は、キャストサイトリストに用いられているメタ言語とは異なる言語、例えばＨＴＭＬ（HyperText Markup Language）を用いて作成された案内ページが記録されているＨＤＤ等の記録手段であり、例えば、リクエストされたアドレスがＯＰＭＬによって記述されているキャストサイトリストを配信するためのアドレスであることを通知する案内ページが記録されている。
【００２３】
リクエスト応答部２３は、端末装置５０からキャストサイトリストリクエストを受信すると、キャストサイトリスト記録部２１に記録されているキャストサイトリストを送受信部２４によってネットワーク１０経由で端末装置５０に送信し、キャストサイトリストリクエスト以外のリクエストを受信すると、案内情報記録部２２に記録されている案内ページを送受信部２４によってネットワーク１０経由で送信する。すなわち、端末装置５０からのキャストサイトリストリクエストは、ＯＰＭＬによって記述されているキャストサイトリストの送信要求であり、ＨＴＴＰヘッダ等のリクエストのヘッダ（以下、リクエストヘッダと称する）にＯＰＭＬ（ＸＭＬ）対応であることが記述されており、リクエスト応答部２３は、リクエストヘッダにＯＰＭＬ対応であることが記述されている場合には、キャストサイトリスト記録部２１に記録されているキャストサイトリストを送受信部２４によってネットワーク１０経由で端末装置５０に送信し、リクエストヘッダにＯＰＭＬ対応であることが記述されていない場合には、ＨＴＭＬに対応したＷｅｂブラウザからのリクエストであると認識し、案内情報記録部２２に記録されているＨＴＭＬを用いて作成された案内ページを送受信部２４によってネットワーク１０経由で送信する。
【００２４】
送受信部２４は、有線もしくは無線でネットワーク１０に接続する機能を有し、ＨＴＴＰ（Hyper-Text Transfer Protocol）、ＦＴＰ（File Transfer Protocol）、ＲＴＰ（Real-Time Transport Protocol）、ＲＴＳＰ（Real-Time Streaming Protocol）等のプロトコルに基づいてネットワーク１０を介して端末装置５０と情報通信を行う。
【００２５】
コンテンツリストサーバ３０は、端末装置５０からの各種リクエストに応答するＷｅｂサーバとしての機能を有し、コンテンツリスト記録部３１と、案内情報記録部３２と、リクエスト応答部３３と、送受信部３４とを備えている。
【００２６】
コンテンツリスト記録部３１は、コンテンツリストが記録されているＨＤＤ等の記録手段である。コンテンツリストは、メタ言語によって記述された構造化文書であり、タグを用いてコンテンツの名称、コンテンツが公開されているネットワーク１０上でのアドレス（以下、データＵＲＬと称す）およびコンテンツのデータタイプが記述されたリストである。図３を参照すると、本実施の形態のコンテンツリストは、ＸＭＬ（Extensible Markup Language）の仕様の１つであるＲＳＳ（Rich Site Summary）によって記述されている。
【００２７】
図３において、<?xml version="1.0" encoding="UTF-8"?>は、コンテンツリストがＸＭＬ文書であることを示すＸＭＬ宣言であり、終了タグ</rss>との間の要素がＲＳＳによって記述されていることを示す開始タグ<rss>と、終了タグ</channel>との間に、コンテンツリスト名、コンテンツ名、コンテンツの概要、データＵＲＬおよび当該データＵＲＬからダウンロードできるデータタイプが要素として記述されていることを示す開始タグ<channel>と、終了タグ</title>との間に、コンテンツリスト名が要素として記述されていることを示す開始タグ<title>と、終了力タグ</item>との間に、コンテンツ名、コンテンツの概要、データＵＲＬおよびデータタイプが要素として記述されていることを示す開始タグ<item>と、終了力タグ</description>との間に、コンテンツの概要が要素として記述されていることを示す開始タグ<description>と、データＵＲＬおよびデータタイプが属性として記述されていることを示す空要素タグ<enclosure/>とで構成されている。なお、空要素タグ<enclosure/>には、コンテンツのデータ量等の配信するコンテンツに関する他の情報を属性として記述するようにしても良い。また、図３には、コンテンツリストに記述されているコンテンツのデータタイプが音声データである例が示されているが、コンテンツのデータタイプは、文字列データ、静止画像データ、動画像データ等の他のデータタイプであっても良い。
【００２８】
従って、図３に示すコンテンツリスト例には、コンテンツリスト名「???ニュース」が記述されていると共に、コンテンツ名「７／１０のニュース」と、その概要と、データタイプが「音声データ」であるコンテンツをダウンロードすることができるデータＵＲＬとが記述され、コンテンツ名「７／９のニュース」と、その概要と、データタイプが「音声データ」であるコンテンツをダウンロードすることができるデータＵＲＬとが記述され、コンテンツ名「７／８のニュース」と、その概要と、データタイプが「音声データ」であるコンテンツをダウンロードすることができるデータＵＲＬとが記述されている。
【００２９】
案内情報記録部２２は、コンテンツリストに用いられているメタ言語とは異なる言語、例えばＨＴＭＬ（HyperText Markup Language）を用いて作成された案内ページが記録されているＨＤＤ等の記録手段であり、例えば、リクエストされたアドレスがＲＳＳによって記述されているコンテンツリストを配信するためのアドレスであることを通知する案内ページが記録されている。
【００３０】
リクエスト応答部３３は、端末装置５０からコンテンツリストリクエストを受信すると、コンテンツリスト記録部３１に記録されているコンテンツリストを送受信部３４によってネットワーク１０経由で端末装置５０に送信し、コンテンツリストリクエスト以外のリクエストを受信すると、案内情報記録部３２に記録されている案内ページを送受信部３４によってネットワーク１０経由で送信する。すなわち、端末装置５０からのコンテンツリストリクエストは、ＲＳＳによって記述されているコンテンツリストの送信要求であり、リクエストヘッダにＲＳＳ（ＸＭＬ）対応であることが記述されており、リクエスト応答部２３は、リクエストヘッダにＲＳＳ対応であることが記述されている場合には、コンテンツリスト記録部３１に記録されているコンテンツリストを送受信部３４によってネットワーク１０経由で端末装置５０に送信し、リクエストヘッダにＲＳＳ対応であることが記述されていない場合には、ＨＴＭＬに対応したＷｅｂブラウザからのリクエストであると認識し、案内情報記録部３２に記録されている案内ページを送受信部３４によってネットワーク１０経由で送信する。
【００３１】
送受信部３４は、有線もしくは無線でネットワーク１０に接続する機能を有し、ＨＴＴＰ（HyperText Transfer Protocol）やＦＴＰ（File Transfer Protocol）等のプロトコルに基づいてネットワーク１０を介して端末装置５０と情報通信を行う。
【００３２】
コンテンツサーバ４０は、端末装置５０からの各種リクエストに応答するＷｅｂサーバとしての機能を有し、コンテンツ記録部４１と、リクエスト応答部４２と、送受信部４３とを備えている。
【００３３】
コンテンツ記録部４１は、「音声データ」、「画像データ」、「映像データ」等のコンテンツが記録されているＨＤＤ等の記録手段である。
【００３４】
リクエスト応答部４２と、端末装置５０からコンテンツリクエストを受信すると、コンテンツ記録部４１に記録されているコンテンツを送受信部４３によってネットワーク１０経由で端末装置５０に送信する。
【００３５】
送受信部４３は、有線もしくは無線でネットワーク１０に接続する機能を有し、ＨＴＴＰ（HyperText Transfer Protocol）やＦＴＰ（File Transfer Protocol）等のプロトコルに基づいてネットワーク１０を介して端末装置５０と情報通信を行う。
【００３６】
本実施の形態の端末装置５０は、コンテンツ（音声データ、画像データ、映像データ）を再生するオーディオプレーヤ等のプログラム制御によって動作する携帯型の情報処理装置であり、キャストサイトリストに用いられているメタ言語（ＯＰＭＬ）と、コンテンツリストに用いられているメタ言語（ＲＳＳ）とに対応することができる機能を有し、送受信部５１と、情報記録部５２と、液晶ディスプレイ等の表示部５３と、操作部５４と、再生処理部５５と、データ管理部５６とを備えている。
【００３７】
送受信部５１は、有線もしくは無線でネットワーク１０に接続する機能を有し、ＨＴＴＰ（HyperText Transfer Protocol）やＦＴＰ（File Transfer Protocol）等のプロトコルに基づいてキャストサイトサーバ２０、コンテンツリストサーバ３０およびコンテンツサーバ４０と情報通信を行う。
【００３８】
情報記録部５２は、ＨＤＤやシリコンメモリ等の記録手段であり、キャストサイトサーバ２０から受信したキャストサイトリストが一時的に記録されるメモリのテンポラリ領域であるキャストサイトリスト記録部５２１と、コンテンツリストサーバ３０から受信したコンテンツリストが一時的に記録されるメモリのテンポラリ領域であるコンテンツリスト記録部５２２と、コンテンツサーバ４０から受信したコンテンツが経緯データと共に記録されるコンテンツ記録部５２３とからなる。コンテンツ記録部５２３にコンテンツと共に記録される経緯データは、図５を参照すると、配信をリクエストするコンテンツを決定するまでの経緯を示す配信されたコンテンツが記述されているコンテンツリストの「グループ名」と、配信されたコンテンツが記述されている「コンテンツリスト名」とが含まれたデータであり、その他に、データ管理部５６によって生成される固有の「データ番号」と、コンテンツが配信された日時を示す「ｄａｔｅ」と、配信された「コンテンツ名」および「ファイル名」とを有している。
【００３９】
表示部５３は、液晶ディスプレイ等の表示手段であり、キャストサイトリスト記録部５２１に記録されたキャストサイトリストと、コンテンツリスト記録部５２２に記録されたコンテンツリストと、コンテンツ記録部５２３に記録されたコンテンツの一覧とが表示されると共に、コンテンツ記録部５２３に記録されたコンテンツに基づいて再生処理部５５によって再生された画像および映像が表示される。
【００４０】
操作部５４は、操作ボタン等の操作手段であり、キャストサイトサーバ２０に記録されているキャストサイトリストの取得を指示するキャストサイトリスト取得指示入力と、表示部５３に表示されたグループ名を選択するグループ選択入力と、表示部５３に表示されたコンテンツリスト名を選択するコンテンツリスト選択入力と、表示部５３に表示されたコンテンツ名を選択するコンテンツ選択入力と、受信して記録したコンテンツの再生に係る各種入力とが行われる。
【００４１】
再生処理部５５は、情報記録部５２のコンテンツ記録部５２３に記録されたコンテンツを伸長して再生し、画像および映像は、表示部５３に表示させ、音声は、接続されたヘッドフォン５７に出力する。
【００４２】
データ管理部５６は、キャストサイトリストのメタ言語を解析、すなわちＯＰＭＬの各タグを解析することによって、キャストサイトリストにタグの要素および属性として記述されている内容を認識する機能と、コンテンツリストのメタ言語を解析、すなわちＲＳＳの各タグを解析することによって、キャストサイトリストにタグの要素および属性として記述されている内容を認識する機能とを有し、送受信部５１によってネットワーク１０経由でキャストサイトサーバ２０にキャストサイトリストリクエストを送信させることで、キャストサイトリストをキャストサイトサーバ２０から受信し、受信したキャストサイトリストをキャストサイトリスト記録部５２１に記録させ、表示部５３に表示させると共に、送受信部５１によってネットワーク１０経由でコンテンツリストサーバ３０にコンテンツリストリクエストを送信させることで、コンテンツリストをコンテンツリストサーバ３０から受信し、受信したコンテンツリストをコンテンツリスト記録部５２２に記録させ、表示部５３に表示させる。
【００４３】
また、データ管理部５６は、配信をリクエストするコンテンツを決定するまでの経緯を示す経緯データとして、操作部５４からのグループ選択入力によって選択されたグループ名と、操作部５４からのコンテンツリスト選択入力によって選択されたコンテンツリスト名、操作部５４からのコンテンツ選択入力によって選択されたコンテンツ名とを記憶しておき、コンテンツサーバ４０から配信されたコンテンツと共に、記憶しておいた経緯データを情報記録部５２のコンテンツ記録部５２３に記録させる。
【００４４】
次に、本実施の形態におけるキャストサイトリスト、コンテンツリストおよびコンテンツの配信動作について図６乃至図１０を参照して詳細に説明する。
図６は、本発明に係る端末装置の実施の形態におけるコンテンツ取得動作を説明するためのシーケンスチャートであり、図７は、図１に示すキャストサイトサーバにおけるキャストサイトリストの配信動作を説明するフローチャートであり、図８は、図１に示す端末装置におけるキャストサイトリストの表示例を示す図であり、図９は、図１に示すコンテンツリストサーバにおけるコンテンツリストの配信動作を説明するフローチャートであり、図１０は、図１に示す端末装置におけるコンテンツリストの表示例を示す図である。
【００４５】
図６を参照すると、ホットスポットと称される無線ＬＡＮ等のアクセスポイントや、自宅等でインターネット等のネットワーク１０と端末装置５０とを接続させ、ユーザによって操作部５４からキャストサイトリスト取得指示入力が行われると（ステップＡ１）、データ管理部５６は、送受信部５１によってキャストサイトリストリクエストをキャストサイトサーバ２０に送信する（ステップＡ２）。キャストサイトリストリクエストは、キャストサイトサーバ２０のキャストサイトリスト記録部２１に記憶されているキャストサイトリストの配信を要求するリクエストであり、キャストサイトリストがネットワーク１０上で公開されているアドレス（以下、一覧ＵＲＬと称する）に基づいて行われ、ＯＰＭＬによって記述されているキャストサイトリストに対応していること、すなわちＯＰＭＬ対応であることがリクエストヘッダに記述されている。なお、一覧ＵＲＬは、ユーザによって操作部５４から入力するようにしても良く、予め設定しておくようにしても良い。
【００４６】
キャストサイトサーバ２０の送受信部２４に端末装置５０からのキャストサイトリストリクエストが受信されると、リクエスト応答部２３は、キャストサイトリストリクエストによって要求されたキャストサイトリストをキャストサイトリスト記録部２１から読み出し、読み出したキャストサイトリストを送受信部２４によってネットワーク１０経由で端末装置５０に送信する（ステップＡ３）。
【００４７】
なお、図７を参照すると、リクエスト応答部２３は、送受信部２４によるリクエストの受信を監視しており（ステップＢ１）、送受信部２４にリクエストが受信されると、受信されたリクエストがキャストサイトリストリクエストであるか否か、すなわちリクエストヘッダにＯＰＭＬ対応であることが記述されている否かを判断する（ステップＢ２）。ステップＢ２でキャストサイトリストリクエストであると判断された場合には、上述のステップＡ３の動作を行って、キャストサイトリストリクエストによって要求されたキャストサイトリストを端末装置５０に送信し（ステップＢ３）、ステップＢ２でキャストサイトリストリクエストでないと判断された場合には、ＨＴＭＬに対応したＷｅｂブラウザからのリクエストであると認識し、案内情報記録部２２からＨＴＭＬを用いて作成された案内ページを読み出し、読み出した案内ページを送受信部２４によってネットワーク１０経由で送信する（ステップＢ４）。これにより、ＯＰＭＬに対応していないブラウザからリクエストがあった場合にも、ＯＰＭＬに対応していないブラウザでも閲覧することができる案内ページを配信することができ、例えば、リクエストされたアドレスがＯＰＭＬによって記述されているキャストサイトリストを配信するためのアドレスであることを通知する案内ページを配信することで、キャストサイトリストの認知を促進させることができる。
【００４８】
端末装置５０の送受信部５１にキャストサイトサーバ２０からのキャストサイトリストが受信されると、データ管理部５６は、受信したキャストサイトリストをキャストサイトリスト記録部５２１に一時的に記録させると共に、メタ言語で記述されたキャストサイトリストのタグを解析することで（ステップＡ４）、キャストサイトリストの階層を認識し、キャストサイトリスト名と、認識した各階層の文字列を抽出する。図２に示すキャストサイトリストでは、グループと、各グループのコンテンツリストからなる２層構造であることが認識され、開始タグ<head>と終了タグ</head>の間、且つ開始タグ<head>と終了タグ</title>との間に要素として記述されているキャストサイトリスト名「△△△キャストサイト」と、最上位層（第１層）の文字列として、開始タグ<body>と終了タグ</body>の間のグループを示す開始タグ<outline text=〜>に属性として記述されているグループ名「ニュース」、「スポーツ」と、最下位層（第２層）の文字列として、グループ名「ニュース」のコンテンツリストであることを示す空要素タグ<outline/>に属性として記述されているコンテンツリスト名「???ニュース」、「□□□ニュース」と、グループ名「スポーツ」のコンテンツリストであることを示す空要素タグ<outline/>に属性として記述されているコンテンツリスト名「サッカー」、「野球」とが抽出される。
【００４９】
次に、データ管理部５６は、図８（ａ）に示すように、キャストサイトリストから抽出したキャストサイトリスト名と、最上位層（第１層）の文字列であるグループ名の一覧とを表示部５３に表示させる（ステップＡ５）。なお、図８（ａ）には、キャストサイトリスト名「△△△キャストサイト」と、グループ名「ニュース」、「スポーツ」とがが表示部５３に表示されている状態が示されている。
【００５０】
次に、操作部５４によってカーソル６０を移動させて、表示部５３に表示されたグループ名の中から次層である最下位層（第２層）の文字列（コンテンツリスト名）を表示させるグループを選択するグループ選択入力が行われると（ステップＡ６）、データ管理部５６は、グループ選択入力によって選択されたグループ名を経緯データとして記憶しておくと共に（ステップＡ７）、図８（ｂ）に示すように、キャストサイトリスト名と、選択されたグループ名と、選択されたグループのコンテンツリスト名の一覧とを表示部５３に表示させる（ステップＡ８）。なお、図８（ａ）には、グループ名「ニュース」がカーソル６０によって選択されている状態が示されており、図８（ｂ）には、キャストサイトリスト名「△△△キャストサイト」と、選択されたグループ名「ニュース」と、選択されたグループのコンテンツリスト名「???ニュース」、「□□□ニュース」とが表示部５３に表示されている状態が示されている。
【００５１】
本実施の形態では、２層構造のキャストサイトリストについて説明したが、キャストサイトリストは、１層構造もしくは３層構造以上であっても良く、リストＵＲＬが記述されている層が最下位層となる。また、キャストサイトリストは、１つである必要はなく、関連づけられた複数のキャストサイトリスト、すなわち最下位層にリストＵＲＬとして次層となる異なるキャストサイトリストが公開されているネットワーク１０上のアドレスを記述することで、階層構造を有する複数のキャストサイトリストであっても良い。さらに、キャストサイトリストから抽出する文字列の条件（抽出箇所や文字長等）については、予め設定するようにしても良く、ユーザによって設定できるようにしても良い。
【００５２】
次に、操作部５４によってカーソル６０を移動させて、表示部５３に表示されたコンテンツリスト名の中から取得するコンテンツリストを選択するコンテンツリスト選択入力が行われると（ステップＡ９）、データ管理部５６は、コンテンツリスト選択入力によって選択されたコンテンツリスト名を経緯データとして記憶しておくと共に（ステップＡ１０）、送受信部５１によってコンテンツリストリクエストをコンテンツリストサーバ３０に送信する（ステップＡ１１）。コンテンツリストリクエストは、コンテンツリストサーバ３０のコンテンツリスト記録部３１に記憶されている所望するコンテンツリストの配信を要求するリクエストであり、キャストサイトリストに空要素タグ<outline/>の属性として記述されているリストＵＲＬに基づいて行われ、ＲＳＳによって記述されているコンテンツリストに対応していること、すなわちＲＳＳ対応であることがリクエストヘッダに記述されている。
【００５３】
コンテンツリストサーバ３０の送受信部３４に端末装置５０からのコンテンツリストリクエストが受信されると、リクエスト応答部３３は、コンテンツリストリクエストによって要求されたコンテンツリストをコンテンツリスト記録部３１から読み出し、読み出したコンテンツリストを送受信部３４によってネットワーク１０経由で端末装置５０に送信する（ステップＡ１２）。
【００５４】
なお、図９を参照すると、リクエスト応答部３３は、送受信部３４によるリクエストの受信を監視しており（ステップＣ１）、送受信部３４にリクエストが受信されると、受信されたリクエストがコンテンツリストリクエストであるか否か、すなわちリクエストヘッダにＲＳＳ対応であることが記述されている否かを判断する（ステップＣ２）。ステップＣ２でコンテンツリストリクエストであると判断された場合には、上述のステップＡ１２の動作を行って、コンテンツリストリクエストによって要求されたコンテンツリストを端末装置５０に送信し（ステップＣ３）、ステップＣ２でコンテンツリストリクエストでないと判断された場合には、ＨＴＭＬに対応したＷｅｂブラウザからのリクエストであると認識し、案内情報記録部３２からＨＴＭＬを用いて作成された案内ページを読み出し、読み出した案内ページを送受信部３４によってネットワーク１０経由で送信する（ステップＣ４）。これにより、ＲＳＳに対応していないブラウザからリクエストがあった場合にも、ＲＳＳに対応していないブラウザでも閲覧することができる案内ページを配信することができ、例えば、リクエストされたアドレスがＲＳＳによって記述されているコンテンツリストを配信するためのアドレスであることを通知する案内ページを配信することで、コンテンツリストの認知を促進させることができる。
【００５５】
端末装置５０の送受信部５１にコンテンツリストサーバ３０からのコンテンツリストが受信されると、データ管理部５６は、受信したコンテンツリストをコンテンツリスト記録部５２２に一時的に記録させると共に、メタ言語で記述されたコンテンツリストのタグを解析することで（ステップＡ１３）、コンテンツ名を抽出し、図１０に示すように、キャストサイトリスト名と、グループ名と、コンテンツリスト名と、コンテンツ名の一覧とを表示部５３に表示させる（ステップＡ１４）。なお、図３に示すコンテンツリストからは、開始タグ<item>と終了タグ</item>の間、且つコンテンツ名を示す開始タグ<title>と終了タグ</title>との間に要素として記述されている「７／１０のニュース」、「７／９のニュース」、「７／８のニュース」が抽出され、図１０には、キャストサイトリスト名「△△△キャストサイト」と、グループ名「ニュース」と、コンテンツリスト名「○○○ニュース」と、コンテンツ名「７／１０のニュース」、「７／９のニュース」、「７／８のニュース」とが表示部５３に表示されている状態が示されている。
【００５６】
次に、操作部５４によってカーソル６０を移動させて、表示部５３に表示されたコンテンツ名の中から取得するコンテンツを選択するコンテンツ選択入力が行われると（ステップＡ１５）、データ管理部５６は、コンテンツ選択入力によって選択されたコンテンツ名を経緯データとして記憶しておくと共に（ステップＡ１６）、送受信部５１によってコンテンツリクエストをコンテンツサーバ４０に送信する（ステップＡ１７）。コンテンツリクエストは、コンテンツサーバ４０のコンテンツ記録部４１に記憶されている所望するコンテンツの配信を要求するリクエストであり、コンテンツリストに空要素タグ<enclosure/>の属性として記述されているデータＵＲＬに基づいて行われる。なお、図１０には、コンテンツ名「７／１０のニュース」がカーソル６０によって選択されている状態が示されている。
【００５７】
コンテンツサーバ４０の送受信部４３に端末装置５０からのコンテンツリクエストが受信されると、リクエスト応答部４２は、コンテンツリクエストによって要求されたコンテンツをコンテンツ記録部４１から読み出し、読み出したコンテンツを送受信部４３によってネットワーク１０経由で端末装置５０に送信する（ステップＡ１８）。
【００５８】
端末装置５０の送受信部５１にコンテンツサーバ４０からのコンテンツが受信されると、データ管理部５６は、受信したコンテンツと共に、図５（ｂ）に示すように、記憶しておいた経緯データ（グループ名「ニュース」、コンテンツリスト名「△△△ニュース」、コンテンツ名「７／１０のニュース」）をコンテンツ記録部５２３に記録させる（ステップＡ１９）。なお、受信したコンテンツは、再生処理部５５によって再生を行った後にコンテンツ記録部５２３に記録するようにしても良く、再生を行うことなくコンテンツ記録部５２３に記録するようにしても良い。
【００５９】
なお、本実施の形態では、ユーザが操作部５４からキャストサイトリスト取得指示入力、グループ選択入力、コンテンツリスト選択入力およびコンテンツ選択入力を随時行うことでコンテンツの配信を受けるように構成したが、予めキャストサイトリスト取得指示入力、グループ選択入力およびコンテンツリスト選択入力を設定しておき、タイマによってセットされた時刻や電下の立ち上げ時に、コンテンツリスト選択入力によって選択されたコンテンツリストに新たに加えられたコンテンツを自動的に受信するようにしても良い。
【００６０】
以上説明したように、本実施の形態によれば、送受信部５１によってコンテンツリストのネットワーク上でのアドレスおよびコンテンツリストに対応する文字列がメタ言語によって記述された構造化文書であるキャストサイトリストを受信すると、データ管理部５６は、受信したキャストサイトリストを解析することで、コンテンツリストに対応する文字列を抽出して表示部５３に表示し、表示したコンテンツリストに対応する文字列の選択を操作部５４によって受け付け、選択されたコンテンツリストに対応する文字列を経緯データとして記憶すると共に、送受信部５１を用いて選択され文字例に対応するコンテンツリストの配信を要求するコンテンツリストリクエストを送信し、送受信部５１によってコンテンツリストリクエストに対応した、タグを用いて要素および属性を意味づけするメタ言語によってコンテンツのネットワーク上でのアドレスおよびコンテンツに対応する文字列が記述された構造化文書であるコンテンツリストを受信すると、データ管理部５６は、受信したコンテンツリストを解析することで、コンテンツに対応する文字列を抽出して表示部５３に表示し、表示したコンテンツに対応する文字列の選択を操作部５４によって受け付け、送受信部５１を用いて選択されたコンテンツに対応する文字例に対応するコンテンツの配信を要求するコンテンツリクエストを送信し、送信したコンテンツリクエストに対応して受信したコンテンツと共に記憶している経緯データをコンテンツ記録部５２３に記録するように構成することにより、受信したコンテンツが経緯データに基づいてデータベース化、すなわち経緯データに基づいて分類分けされてコンテンツ記録部５２３に記録され、経緯データを用いることで記録したコンテンツの中から所望のコンテンツを簡単に特定することができるため、ユーザが記録されたコンテンツの分類分けを行うことなく、記録したコンテンツの中から所望のコンテンツの特定を容易に行うことができ、ユーザの利便性を向上させることができるという効果を奏する。
【００６１】
さらに、本実施の形態によれば、キャストサイトリストが複数のコンテンツリストをグループ分けした多層構造になっており、データ管理部５６は、キャストサイトリストを解析することで、コンテンツに対応する文字列を抽出して表示部５３に表示すると共に、グループに対応する文字列を抽出して表示し、表示したグループに対応する文字列の選択を操作部５４によって受け付け、選択されたグループに対応する文字列を経緯データとして記憶するように構成することにより、記録されたコンテンツを経緯データに基づいて細分類することができるため、経緯データを用いることで記録したコンテンツの中から所望のコンテンツをさらに簡単に特定することができるという効果を奏する。
【００６２】
さらに、本実施の形態によれば、キャストサイトリストに次層となる異なるキャストサイトリストが公開されているネットワーク上のアドレスが記述されており、データ管理部５６は、キャストサイトリストを解析することで、次層となる異なるキャストサイトリストに対応する文字列を抽出して表示部５３に表示し、表示したキャストサイトリストに対応する文字列の選択を操作部５４によって受け付け、選択されたキャストサイトリストに対応する文字列を経緯データとして記憶するように構成することにより、記録されたコンテンツを経緯データに基づいて細分類することができるため、経緯データを用いることで記録したコンテンツの中から所望のコンテンツをさらに簡単に特定することができるという効果を奏する。
【００６３】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００６４】
【図１】本発明に係る端末装置の実施の形態にコンテンツを配信する配信システムの構成を示すシステム構成図である。
【図２】図１に示すキャストサイトサーバに記録されているキャストサイトリスト例を示す図である。
【図３】図１に示すコンテンツリストサーバに記録されているキャストサイトリスト例を示す図である。
【図４】本発明に係る端末装置の実施の形態の構成を示すブロック図である。
【図５】図４に示す情報記録部のコンテンツ記録部に記録された経緯データ例を示す図である。
【図６】本発明に係る端末装置の実施の形態におけるコンテンツ取得動作を説明するためのシーケンスチャートである。
【図７】図１に示すキャストサイトサーバにおけるキャストサイトリストの配信動作を説明するフローチャートである。
【図８】図１に示す端末装置におけるキャストサイトリストの表示例を示す図である。
【図９】図１に示すコンテンツリストサーバにおけるコンテンツリストの配信動作を説明するフローチャートである。
【図１０】図１に示す端末装置におけるコンテンツリストの表示例を示す図である。
【符号の説明】
【００６５】
１０  ネットワーク
２０  キャストサイトサーバ
２１  キャストサイトリスト記録部
２２  案内情報記録部
２３  リクエスト応答部
２４  送受信部
３０  コンテンツリストサーバ
３１  コンテンツリスト記録部
３２  案内情報記録部
３３  リクエスト応答部
３４  送受信部
４０  コンテンツサーバ
４１  コンテンツ記録部
４２  リクエスト応答部
４３  送受信部
５０  端末装置
５１  送受信部
５２  情報記録部
５３  表示部
５４  操作部
５５  再生処理部
５６  データ管理部（文字列抽出手段）
５７  ヘッドフォン
６０  カーソル
５２１  キャストサイトリスト記録部
５２２  コンテンツリスト記録部
５２３  コンテンツ記録部
【図１】
2008027104.tif 000003
【図２】
2008027104.tif 000004
【図３】
2008027104.tif 000005
【図４】
2008027104.tif 000006
【図５】
2008027104.tif 000007
【図６】
2008027104.tif 000008
【図７】
2008027104.tif 000009
【図８】
2008027104.tif 000010
【図９】
2008027104.tif 000011
【図１０】
2008027104.tif 000012